(57)【要約】      （修正有）【課題】梁架構を吊り上げて柱部材に接合する場合に、この柱部材の倒れを簡易かつ低コストで防止できる、建物躯体の構築方法を提供する。【解決手段】建物躯体の構築方法は、柱部材の上部に仮設架台を設置するとともに、内側床面上に屋根ユニットを地組みするステップＳ１と、柱部材の外側の外側床面と仮設架台の外端側との間に支持ジャッキおよび支持ジャッキから延びるＰＣ鋼材を取り付けるとともに、仮設架台の内端側に揚重ジャッキを取り付けて、揚重ジャッキから延びるＰＣ鋼材を内側床面上の屋根ユニットに取り付けるステップＳ２と、支持ジャッキにより仮設架台の外端側を下方に引っ張った状態で、揚重ジャッキにより屋根ユニットを吊り上げて柱部材に接合するステップＳ３と、を備える。【選択図】図７
2019085746.tif 000002
【特許請求の範囲】
【請求項１】
床面から鉛直方向に延びる鉛直部材に水平方向に延びる水平部材を取り付ける方法であって、
前記鉛直部材の上部に仮設架台を設置する工程と、
前記鉛直部材の外側の外側床面と前記仮設架台の外端側との間に油圧ジャッキおよび当該油圧ジャッキから延びるＰＣ鋼材を取り付ける工程と、
当該油圧ジャッキにより前記ＰＣ鋼材に張力を導入して前記仮設架台の外端側を下方に引っ張った状態で、前記鉛直部材の中間高さまたは上端部に前記水平部材を取り付ける工程と、を備えることを特徴とする水平部材の取り付け方法。
【請求項２】
床面上に対向して配置された一対の柱部材と、当該一対の柱部材間に架設された梁架構と、を備える建物躯体の構築方法であって、
前記一対の柱部材を構築し、当該一対の柱部材の一方の上部に仮設架台を設置するとともに、前記床面上に前記梁架構を地組みする第１工程と、
前記柱部材の外側の外側床面と前記仮設架台の外端側との間に、第１の油圧ジャッキおよび当該第１の油圧ジャッキから延びるＰＣ鋼材を取り付けるとともに、前記仮設架台の内端側に第２の油圧ジャッキを取り付けて、当該第２の油圧ジャッキから延びるＰＣ鋼材を前記床面上の梁架構に取り付ける第２工程と、
前記第１の油圧ジャッキにより前記仮設架台の外端側を下方に引っ張った状態で、前記第２の油圧ジャッキにより当該梁架構を吊り上げて前記柱部材に接合する第３工程と、を備えることを特徴とする建物躯体の構築方法。
【請求項３】
前記第１工程では、前記一対の柱部材の他方の上部に仮設架台を設置し、
前記第２工程では、当該仮設架台の内端側に第３の油圧ジャッキを取り付けて、当該第３の油圧ジャッキから延びるＰＣ鋼材を前記床面上の梁架構に取り付けて、
前記第３工程では、当該第３の油圧ジャッキおよび前記第２の油圧ジャッキにより前記床面上の梁架構を前記一対の柱部材の所定高さまで共吊りで吊り上げて、その後、当該梁架構を当該一対の柱部材に接合することを特徴とする請求項２に記載の建物躯体の構築方法。
【発明の詳細な説明】
【技術分野】
【０００１】
本発明は、梁部材（水平部材）を柱部材（鉛直部材）に取り付ける、水平部材の取り付け方法および建物躯体の構築方法に関する。
【背景技術】
【０００２】
従来より、一対の柱部材間の床面上に梁架構を地組みしておき、この梁架構を直上に吊り上げて柱部材に接合することで建物躯体を構築する、建物躯体のリフトアップ工法が知られている。この場合、梁架構の荷重により柱部材が内側（梁架構側）に倒れるため、以下のような方法が提案されている。
【０００３】
特許文献１では、反力柱を下層階で支持することで、反力柱の倒れを防止している。
特許文献２では、柱部材のほかに別途仮設支柱を立設することで、柱部材の倒れを防止している。すなわち、柱部材の近傍に頂部に滑車が設けられた仮設支柱を立設するとともに、この仮設支柱の外側に巻上機を設置する。そして、巻上機から延びるワイヤを、仮設支柱の滑車に巻いた後、内周架構に取り付ける。巻上機でワイヤを巻き取ることで、内周架構を上昇させる。
特許文献３では、柱部材の頂部同士を上側部材で連結することで、反力柱の倒れを防止している。
【０００４】
しかしながら、特許文献１の方法では、反力柱に作用する転倒モーメントに抵抗するため、反力柱全体を鋼板などで補強する必要があった。よって、反力柱が大型化し、コスト高となっていた。
また、特許文献２、３の方法では、別途、大型の仮設鉄骨である仮設支柱や上側部材を設けるため、仮設鉄骨の重量が過大になるうえに、仮設鉄骨の撤去に時間がかかる、という問題があった。
【先行技術文献】
【特許文献】
【０００５】
【特許文献１】特開２００２−７０３１１号公報
【特許文献２】特開２００４−１６２４１８号公報
【特許文献３】特開２０１３−３６２８７号公報
【発明の概要】
【発明が解決しようとする課題】
【０００６】
本発明は、梁架構を吊り上げて柱部材に接合する場合に、この柱部材の倒れを簡易かつ低コストで防止できる、水平部材の取り付け方法および建物躯体の構築方法を提供することを課題とする。
【課題を解決するための手段】
【０００７】
本発明者は、建物躯体の一部である梁架構を床面のように安全性の高い作業環境で組み立てた後、その梁架構を屋根揚重システムによって所定の高さまで揚重して柱部材に接合するリストアップ工法として、柱部材上部に仮設架台を設置し、その仮設架台の外端側と下層階の外側床面との間にＰＣ鋼材を取り付けて張力を導入することで、柱部材の倒れを防止しつつ、梁架構（屋根ユニット）を安定的に揚重できる点に着眼して、本発明に至った。
【０００８】
第１の発明の水平部材の取り付け方法は、床面（例えば、後述の内側床面１１）から鉛直方向に延びる鉛直部材（例えば、後述の柱部材３０Ａ）に水平方向に延びる水平部材（例えば、後述の屋根ユニット１４のトラス梁４０）を取り付ける方法であって、前記鉛直部材の上部に仮設架台（例えば、後述の仮設架台５１）を設置する工程（例えば、後述のステップＳ１）と、前記鉛直部材の外側の外側床面（例えば、後述の外側床面１５）と前記仮設架台の外端側との間に、油圧ジャッキ（例えば、後述の支持ジャッキ５３）および当該油圧ジャッキから延びるＰＣ鋼材（例えば、後述のＰＣ鋼材５３１）を取り付ける工程（例えば、後述のステップＳ２）と、当該油圧ジャッキにより前記ＰＣ鋼材に張力を導入して前記仮設架台の外端側を下方に引っ張った状態で、前記鉛直部材の中間高さまたは上端部に前記水平部材を取り付ける工程（例えば、後述のステップＳ３）と、を備えることを特徴とする。
【０００９】
この発明によれば、水平部材を吊り上げる際に、鉛直部材の上部に仮設架台を設置し、鉛直部材の外側の外側床面とこの仮設架台の外端側との間に設けた油圧ジャッキによりＰＣ鋼材に張力を導入することで、仮設架台の外端側を下方に引っ張って、鉛直部材の倒れを防止する。このように鉛直部材の上部に仮設鉄骨による仮設架台を取り付けるだけよいので、仮設鉄骨の重量を少なくでき、仮設鉄骨を短時間で撤去できる。また、鉛直部材自体を補強する必要がないから、コストを低減できる。また、一時的に、鉛直部材にプレストレスを導入することになるので、鉛直部材の圧縮軸剛性を高めることができ、水平部材を安定して吊り上げることができる。
【００１０】
第２の発明の建物躯体の構築方法は、床面（例えば、後述の内側床面１１）上に対向して配置された一対の柱部材（例えば、後述の柱部材３０Ａ、３０Ｂ）と、当該一対の柱部材間に架設された梁架構（例えば、後述の屋根ユニット１４）と、を備える建物躯体の構築方法であって、前記一対の柱部材を構築し、当該一対の柱部材の一方（例えば、後述の柱部材３０Ａ）の上部に仮設架台（例えば、後述の仮設架台５１）を設置するとともに、前記床面上に前記梁架構を地組みする第１工程（例えば、後述のステップＳ１）と、前記柱部材の外側の外側床面（例えば、後述の外側床面１５）と前記仮設架台の外端側との間に、第１の油圧ジャッキ（例えば、後述の支持ジャッキ５３）および当該第１の油圧ジャッキから延びるＰＣ鋼材（例えば、後述のＰＣ鋼材５３１）を取り付けるとともに、前記仮設架台の内端側に第２の油圧ジャッキ（例えば、後述の揚重ジャッキ５２）を取り付けて、当該第２の油圧ジャッキから延びるＰＣ鋼材（例えば、後述のＰＣ鋼材５２１）を前記床面上の梁架構に取り付ける第２工程（例えば、後述のステップＳ２）と、前記第１の油圧ジャッキにより前記仮設架台の外端側を下方に引っ張った状態で、前記第２の油圧ジャッキにより当該梁架構を吊り上げて前記柱部材に接合する第３工程（例えば、後述のステップＳ３）と、を備えることを特徴とする。
ここで、仮設架台を取り付ける柱部材の上部とは、柱部材の頂部（上端部）に加えて、柱部材の頂部寄りの中間高さ部分も含むものである。
【００１１】
この発明によれば、梁架構を吊り上げる際に、一方の柱部材の上部に仮設架台を設置し、柱部材の外側の外側床面とこの仮設架台の外端側との間に設けた第１の油圧ジャッキによりＰＣ鋼材に張力を導入することで、仮設架台の外端側を下方に引っ張って、柱部材の倒れを防止する。このように柱部材の上部に仮設鉄骨による仮設架台を取り付けるだけよいので、仮設鉄骨の重量を少なくでき、仮設鉄骨を短時間で撤去できる。また、柱部材自体を補強する必要がないから、コストを低減できる。また、一時的に、柱部材にプレストレスを導入することになるので、柱部材の圧縮軸剛性を高めることができ、梁架構を安定して吊り上げることができる。
【００１２】
第３の発明の建物躯体の構築方法は、前記第１工程では、前記一対の柱部材の他方（例えば、後述の柱部材３０Ｂ）の上部に仮設架台（例えば、後述の仮設架台５４）を設置し、前記第２工程では、当該仮設架台の内端側に第３の油圧ジャッキ（例えば、後述の揚重ジャッキ５５）を取り付けて、当該第３の油圧ジャッキから延びるＰＣ鋼材（例えば、後述のＰＣ鋼材５５１）を前記床面上の梁架構に取り付けて、前記第３工程では、当該第３の油圧ジャッキおよび前記第２の油圧ジャッキにより前記床面上の梁架構を前記一対の柱部材の所定高さまで共吊りで吊り上げて、その後、当該梁架構を当該一対の柱部材に接合することを特徴とする。
【００１３】
この発明によれば、他方の柱部材の上部に仮設架台を設置し、この仮設架台の内端側に第３の油圧ジャッキを取り付けて、第２の油圧ジャッキおよび第３の油圧ジャッキにより梁架構の両端側を共吊りで吊り上げたので、梁架構を安定して吊り上げることができる。
【００１４】
本発明の建物躯体の構築方法は、前記仮設架台は、前記柱部材の上端に取り付けられて当該柱部材の内側に向かって延びる上弦材と、当該上弦材よりも下方で前記柱部材から外側に向かって延びる下弦材と、前記上弦材の基端側と前記下弦材の先端側とを連結する斜材と、を備え、前記第１の油圧ジャッキは、前記下弦材の先端側（外端側）の上面または下面、あるいは、前記外側床面上に設けられることが好ましい。
【００１５】
この発明によれば、柱部材の外側に向かって下弦材を突出して設け、この下弦材の外端側に第１の油圧ジャッキを配置することで、柱部材の断面内にＰＣ鋼材を配置することなく、柱部材に圧縮力を導入できる。
また、仮設架台を柱部材、下弦材、および斜材からなるトラス構造としたので、柱部材の面内剛性を向上できる。
【００１６】
本発明の建物躯体の構築方法は、前記第２の油圧ジャッキおよび前記第３の油圧ジャッキは、前記仮設架台の上弦材の先端側に設けられることを特徴とする。
【００１７】
この発明によれば、梁架構を共吊りする第２の油圧ジャッキおよび第３の油圧ジャッキを上弦材の先端側（内端側）に設置したので、梁架構を直上に吊り上げることができ、梁架構に水平力が作用するのを防いで、安定して吊り上げることができる。
【発明の効果】
【００１８】
本発明によれば、一対の柱部材間に梁架構を吊り上げて、梁架構と柱部材とを接合する場合に、転倒モーメントが作用する柱部材の倒れを簡易かつ低コストで防止できる、建物躯体の構築方法を提供できる。
【図面の簡単な説明】
【００１９】
【図１】本発明の一実施形態に係る建物躯体の側面図である。
【図２】図１の建物躯体のＡ−Ａ矢視図である。
【図３】屋根揚重システムを設置した状態の建物躯体の側面図である。
【図４】図３の建物躯体のＢ−Ｂ矢視図である。
【図５】図３の破線Ｃおよび破線Ｄで囲んだ部分の拡大図である。
【図６】図５のＥ−Ｅ矢視図である。
【図７】建物躯体を構築する手順のフローチャートである。
【図８】建物躯体の構築手順の説明図である。
【発明を実施するための形態】
【００２０】
本発明は、隣接する柱部材間に梁架構（トラス梁）を吊り上げて、その梁架構を柱部材に接合する建物躯体の構築方法である。本発明の特徴の１つは、柱部材の上部に仮設架台を設置し、その仮設架台の外端側と下方の外側床面との間に設けた油圧ジャッキによりＰＣ鋼材に張力を導入することで、仮設架台の外端側を下方側に引っ張って、柱部材の倒れを防止する点である。
以下、本発明の一実施形態について、図面を参照しながら説明する。
図１は、本発明の一実施形態に係る建物躯体１の側面図である。図２は、図１の建物躯体１のＡ−Ａ矢視図である。
建物躯体１は、大空間としてのホール１０を備える建物の躯体である。このホール１０は、平面視で矩形状の内側床面１１と、この内側床面１１を囲んで立設された４つの壁架構１２と、壁架構１２の上端同士の間に架設されて内側床面１１を覆う屋根架構１３と、を備える。
【００２１】
内側床面１１は、階段状であり、第１床面２０と、この第１床面２０よりも高い第２床面２１と、第２床面２１よりも高い第３床面２２と、を備え、これら第１床面２０、第２床面２１、第３床面２２の間には段差が形成されている。
【００２２】
壁架構１２は、複数の柱部材（鉛直部材）３０と、これら柱部材３０同士の間に架設された梁部材３１と、を備えている。
以下、図１に示すように、互いに対向して配置された一対の壁架構１２を、壁架構１２Ａ、１２Ｂとする。
壁架構１２Ａの下部の外側面は、柱梁架構３２Ａに支持されている。また、壁架構１２Ａの柱部材３０のうち内側の４本を柱部材３０Ａとする。
壁架構１２Ｂの外側面は、柱梁架構３２Ｂに支持されている。また、壁架構１２Ｂの柱部材３０のうち内側の４本を柱部材３０Ｂとする。
【００２３】
屋根架構１３は、平面視で矩形状であり、略平行に配置された４本のトラス構造のトラス梁４０と、隣り合うトラス梁４０同士あるいはトラス梁４０と壁架構１２とを連結する連結梁４１と、を備える。この屋根架構１３のトラス梁４０の両端部は、壁架構１２Ａ、１２Ｂの柱部材３０の上部に接合されている。
【００２４】
以上の建物躯体１では、屋根架構１３の一部を屋根ユニット１４として内側床面１１上で地組みしておき、柱部材３０の上端部に屋根揚重システム５０を取り付けて、この屋根揚重システム５０により屋根ユニット１４を吊り上げて、柱部材３０の上端部に取り付けることで、屋根架構１３を構築する。
【００２５】
図３は、屋根揚重システム５０を設置した状態の建物躯体１の側面図である。図４は、図３の建物躯体１のＢ−Ｂ矢視図である。図５は、図３の破線Ｃおよび破線Ｄで囲んだ部分の拡大図である。図６は、図５のＥ−Ｅ矢視図である。
屋根揚重システム５０は、壁架構１２Ａの上部に取り付けられた仮設架台５１と、仮設架台５１の内端側に取り付けられた油圧ジャッキである揚重ジャッキ５２と、仮設架台５１の外端側と壁架構１２Ａの外側の外側床面１５との間に取り付けられた油圧ジャッキである支持ジャッキ５３と、壁架構１２Ｂの上部に取り付けられた仮設架台５４と、仮設架台５４の内端側に取り付けられた油圧ジャッキである揚重ジャッキ５５と、を備える。
【００２６】
仮設架台５１は、壁架構１２Ａの内側の４本の柱部材３０Ａの上端部に取り付けられて柱部材３０Ａの内側に向かって略水平に延びる上弦材６０と、上弦材６０の上面に設けられてかつ上弦材６０に略直交して延びるジャッキ受け梁６１と、上弦材６０よりも下方の高さ位置で各柱部材３０から外側に向かって略水平に延びる下弦材６２と、上弦材６０の基端側と下弦材６２の先端側とを連結する斜材６３と、隣り合う下弦材６２同士を連結する水平連結部材６４と、を備える。
【００２７】
揚重ジャッキ５２は、ＰＣ鋼材５２１を引っ張り上げるセンターホールジャッキであり、各ジャッキ受け梁６１の上でかつ上弦材６０を挟んだ位置に一対ずつ設けられている。
屋根ユニット１４を構成するトラス梁４０の端部でかつ揚重ジャッキ５２の直下の位置には、上方に突出する荷重受けピース７０が設けられ、この荷重受けピース７０には、荷重受け梁７１が回動可能に設けられている。一対の揚重ジャッキ５２から延びるＰＣ鋼材５２１の下端部は、荷重受け梁７１の荷重受けピース７０を挟んだ位置に連結される。
支持ジャッキ５３は、ＰＣ鋼材５３１を引っ張るクレビスジャッキであり、柱部材３０Ａの外側の外側床面１５上でかつ各下弦材６２の先端部（外端部）の直下の位置に設けられている。この支持ジャッキ５３から延びるＰＣ鋼材５３１の先端側は、下弦材６２の先端部に連結されている。
【００２８】
仮設架台５４は、壁架構１２Ｂの内側の４本の柱部材３０Ｂの上端部に取り付けられて柱部材３０Ａの内側に向かって延びる上弦材６０と、上弦材６０の上面に設けられてかつ上弦材６０に略直交して延びるジャッキ受け梁６１と、を備える。
揚重ジャッキ５５は、揚重ジャッキ５２と同様の構成であり、各ジャッキ受け梁６１の上でかつ上弦材６０を挟んだ位置に一対ずつ設けられている。
また、屋根ユニット１４を構成するトラス梁４０の端部でかつ揚重ジャッキ５５の直下の位置にも、上述の荷重受けピース７０が設けられている。一対の揚重ジャッキ５５から延びるＰＣ鋼材５５１の下端部は、荷重受け梁７１の荷重受けピース７０の両側の位置に連結されている。
【００２９】
以下、建物躯体１を構築する手順について、図７のフローチャートを参照しながら説明する。
ステップＳ１では、図３〜図６に示すように、内側床面１１、壁架構１２Ａ、１２Ｂ、柱梁架構３２Ａ、３２Ｂを構築するとともに、壁架構１２Ａ、１２Ｂに屋根揚重システム５０の仮設架台５１、５４を設置する。
また、内側床面１１上に屋根架構１３の一部となる屋根ユニット１４を地組みする。具体的には、屋根ユニット１４は、略平行に配置された４本のトラス梁４０と、これらトラス梁４０同士とを連結する連結梁４１と、を備える。このとき、内側床面１１には段差が形成されているので、内側床面１１の第１床面２０に仮設支柱８０を設けて、この仮設支柱８０で屋根ユニット１４を支持することで、屋根ユニット１４を略水平な状態で地組みする。また、屋根ユニット１４の各トラス梁４０に、荷重受けピース７０および荷重受け梁７１を取り付けておく。
【００３０】
ステップＳ２では、図３〜図６に示すように、仮設架台５１、５４に揚重ジャッキ５２、５５を設置して、揚重ジャッキ５２、５５から延びるＰＣ鋼材５２１、５５１を屋根ユニット１４の荷重受け梁７１に連結する。
また、外側床面１５上に支持ジャッキ５３を設置し、支持ジャッキ５３から延びるＰＣ鋼材５３１の先端側を、下弦材６２の先端部に連結する。さらに、外側床面１５と柱部材３０Ａとの間に斜めに延びる補強柱８１を設置しておく。
【００３１】
ステップＳ３では、図３〜図６に示すように、支持ジャッキ５３を駆動してＰＣ鋼材５３１に張力を導入することで、仮設架台５４の外端側を下方つまり外側床面１５に向けて引っ張る。この状態で、揚重ジャッキ５２、５５を駆動してＰＣ鋼材５２１、５５１に張力を導入し、図８に示すように、屋根ユニット１４を共吊りで柱部材３０Ａ、３０Ｂの上端部まで吊り上げる。その後、屋根ユニット１４のトラス梁４０を柱部材３０Ａ、３０Ｂに接合し、その後、屋根ユニット１４のトラス梁４０と壁架構１２との間に連結梁４１を取り付ける。これにより、屋根架構１３が完成する。なお、図４に示す建物躯体のＢ−Ｂ矢視図では、屋根ユニット１４の構成を理解しやすいように、屋根ユニット１４のトラス梁４０と壁架構１２との間に取り付ける連結梁４１の表示を省略している。
【００３２】
ステップＳ４では、揚重ジャッキ５２、５５および支持ジャッキ５３により導入した張力を解除し、これら揚重ジャッキ５２、５５および支持ジャッキ５３を撤去する。また、仮設架台５１、５４、仮設支柱８０、および補強柱８１を撤去する。
【００３３】
本実施形態によれば、以下のような効果がある。
（１）屋根ユニット１４を吊り上げる際に、一方の柱部材３０Ａの上部に仮設架台５１を設置し、柱部材３０Ａの外側の外側床面１５とこの仮設架台５１の外端側との間に設けた支持ジャッキ５３によりＰＣ鋼材５３１に張力を導入することで、仮設架台５１の外端側を下方に引っ張って、柱部材３０Ａの倒れを防止する。このように、柱部材３０Ａの上部に仮設鉄骨である仮設架台５１を取り付けるだけよいので、仮設鉄骨の重量を少なくでき、仮設鉄骨を短時間で撤去できる。また、柱部材３０Ａ自体を補強する必要がないから、コストを低減できる。また、一時的に、柱部材３０Ａにプレストレスを導入することになるので、柱部材３０Ａの圧縮軸剛性を高めることができ、屋根ユニット１４を安定して吊り上げることができる。
【００３４】
（２）他方の柱部材３０Ｂの上部に仮設架台５４を設置し、この仮設架台５４の内端側に揚重ジャッキ５５を取り付けて、揚重ジャッキ５２、５５により屋根ユニット１４の両端側を共吊りで吊り上げたので、屋根ユニット１４を安定して吊り上げることができる。
（３）柱部材３０Ａの外側に向かって下弦材６２を突出して設け、この下弦材６２の外端側に支持ジャッキ５３を配置することで、柱部材３０Ａの断面内にＰＣ鋼材を配置することなく、柱部材３０Ａに圧縮力を導入できる。
また、仮設架台５１を柱部材３０Ａ、下弦材６２、および斜材６３からなるトラス構造としたので、柱部材３０Ａの面内剛性を向上できる。
【００３５】
（４）屋根ユニット１４を共吊りする揚重ジャッキ５２、５５を上弦材６０の内端側に設置したので、屋根ユニット１４を直上に吊り上げることができ、屋根ユニット１４に水平力が作用するのを防いで、安定して吊り上げることができる。
【００３６】
なお、本発明は前記実施形態に限定されるものではなく、本発明の目的を達成できる範囲での変形、改良等は本発明に含まれるものである。
例えば、上記実施形態では、梁部材として屋根ユニット１４を揚重して屋根架構１３を構築したが、これに限らず、梁部材としてスラブユニットを楊重してスラブを構築してもよい。
【符号の説明】
【００３７】
１…建物躯体  １０…ホール  １１…内側床面  １２、１２Ａ、１２Ｂ…壁架構
１３…屋根架構  １４…屋根ユニット（梁架構）  １５…外側床面
２０…第１床面  ２１…第２床面  ２２…第３床面
３０、３０Ａ、３０Ｂ…柱部材（鉛直部材）  ３１…梁部材
３２Ａ、３２Ｂ…柱梁架構  ４０…トラス梁（水平部材）  ４１…連結梁
５０…屋根揚重システム  ５１…仮設架台
５２…揚重ジャッキ（第２の油圧ジャッキ）
５３…支持ジャッキ（第１の油圧ジャッキ）
５４…仮設架台  ５５…揚重ジャッキ（第３の油圧ジャッキ）
６０…上弦材  ６１…ジャッキ受け梁  ６２…下弦材  ６３…斜材
６４…水平連結部材
７０…荷重受けピース  ７１…荷重受け梁  ８０…仮設支柱  ８１…補強柱
５２１、５３１、５５１…ＰＣ鋼材
【図１】
2019085746.tif 000003
【図２】
2019085746.tif 000004
【図３】
2019085746.tif 000005
【図４】
2019085746.tif 000006
【図５】
2019085746.tif 000007
【図６】
2019085746.tif 000008
【図７】
2019085746.tif 000009
【図８】
2019085746.tif 000010